(57)【要約】 【課題】携帯端末装置のＧＰＳ機能及び温度センサーを用いて利用者の現在位置及びその外気温を取得し、サーバで処理することにより、利用者による広告情報の検索を介することなく、利用者に最適な商品の広告情報を自動的に配信する広告情報配信システムを提供することを課題とする。【解決手段】広告情報データベース１２２、地図情報データベース１２３及びＲＦＩＤタグの商品情報データベース１２４を備えたサーバ１２０と、ＧＰＳ装置１１１及び温度センサー１１３を備え、広告情報を受信する端末装置１１０とから構成され、端末装置１１０からの要求に応じて、サーバ１２０に備える前記各データベースより、位置情報及び温度情報に基づいて最適な商品及び広告情報を検索し、端末装置１１０に送信して、広告情報を表示することを特徴とする。【選択図】図１
2007133106.tif 000002
【特許請求の範囲】
【請求項１】
広告情報データベースを備えるサーバと、前記サーバより広告情報を受信する端末装置とからなる広告情報配信システムであって、
前記サーバは、前記広告情報データベースに予め格納された広告情報を更新する更新手段と、
ＲＦＩＤタグ付きの商品より送信された商品情報を格納する商品情報データベースと、
前記端末装置からの要求に応じて、前記端末装置より受信した位置情報及び外気温情報に対応した商品の広告情報を前記広告情報データベースより検索する検索手段と、
前記検索手段により検索された前記広告情報を前記端末装置へ送信する送受信手段とを備え、
前記端末装置は、人工衛星からの電波を受信して前記端末装置の現在位置を検出する現在位置検出手段と、
外気温を測定する温度検出手段と、
前記現在位置及び前記外気温をサーバへ送信する送受信手段と、
前記サーバから受信した広告情報を格納するデータ格納手段と、
前記データ格納手段から読み出して、前記広告情報を表示する表示処理手段とを備える
ことを特徴とする広告情報配信システム。
【発明の詳細な説明】
【技術分野】
【０００１】
本発明は、温度センサー及びＧＰＳ(Global Positioning System)の情報をもとに利用者に対して自動的に最適な広告の提供を行う広告情報配信システムに関する。
【背景技術】
【０００２】
近年、様々な機能を有する携帯端末装置が普及している。中でも、現在位置を特定するＧＰＳ機能付き携帯端末装置が普及し、さらに、温度センサーを取り付けて体温や外気温を測定する携帯端末装置も考えられている。
例えば、特許文献１では、ＧＰＳ機能と温度センサーとを備える携帯電話において、内部の制御回路が、温度センサーよる測定温度が設定温度よりも低下したとき、この事態の発生を音響によって報知し、該音響の発生に応じて所定のキー操作が行なわれた場合を除き、ＧＰＳ受信器の測位機能を動作させて自機位置を表わす座標データを所定の外部機器へ送信することにより、紛失時に容易に探し出すことが出来る技術が開示されている。
【０００３】
また、微小な無線チップにより人やモノを識別・管理するＲＦＩＤ(Radio Frequency Identification)タグを商品に取り付ける。このチップは、耐環境性に優れ、数ｃｍ程度の大きさのタグにデータを記憶し、電波や電磁波で読み取り器と交信する。近年ではアンテナ側からの非接触電力伝送技術により、電池を持たない半永久的に利用可能なタグも登場している。タグは、ラベル型、カード型、コイン型、スティック型など様々な形状があり、用途に応じて選択する。通信距離は数ｍｍ程度のものから数ｍのものがあり、これも用途に応じて使い分けられる。これにより、商品の消費期限や、居場所といったことを管理することができる。ＲＦＩＤタグを用いて商品や流通を管理するシステムが普及しつつある。
例えば、特許文献２では、複数の区画に保管もしくは陳列された商品と、該商品に装着され商品に固有の識別コードを有するＲＦＩＤタグと、該ＲＦＩＤタグに識別コードを書き込む登録機と、該ＲＦＩＤタグの信号を受信するアンテナと該アンテナで受信された信号から識別コードを読み取る読み取り機とからなる読み取りユニットと、読み取り機にて読み取られた識別コードが送信される情報管理手段からなる商品管理システムで、店舗や倉庫における商品の管理を容易にリアルタイムで行う技術が開示されている。
【０００４】
【特許文献１】特開２００４−０３２４９０号公報
【特許文献２】特開２００１−０３１２１８号公報
【発明の開示】
【発明が解決しようとする課題】
【０００５】
しかしながら、現在のＧＰＳ機能を用いるサービスでは、最寄りの店の広告や地図情報を提供することはできるが、商品を検索して、商品の在庫状況や広告宣伝等のサービスを行うことは出来ないという問題があった。
上記問題点に鑑み、本発明は、携帯端末のＧＰＳ機能及び温度センサーを用いて利用者の現在位置及びその外気温を取得し、サーバで処理することにより、利用者による広告情報の検索を介することなく、利用者に最適な商品の広告情報を自動的に配信する広告情報配信システムを提供することを課題とする。
【課題を解決するための手段】
【０００６】
上記課題を解決するために、本発明は、以下の特徴を有する。
請求項１に記載の本発明は、広告情報データベースを備えるサーバと、前記サーバより広告情報を受信する端末装置とからなる広告情報配信システムであって、前記サーバは、前記広告情報データベースに予め格納された広告情報を更新する更新手段と、ＲＦＩＤタグ付きの商品より送信された商品情報を格納する商品情報データベースと、前記端末装置からの要求に応じて、前記端末装置より受信した位置情報及び外気温情報に対応した商品の広告情報を前記広告情報データベースより検索する検索手段と、前記検索手段により検索された前記広告情報を前記端末装置へ送信する送受信手段とを備え、前記端末装置は、人工衛星からの電波を受信して自装置の現在位置を検出する現在位置検出手段と、外気温を測定する温度検出手段と、前記現在位置及び前記外気温をサーバへ送信する送受信手段と、前記サーバから受信した広告情報を格納するデータ格納手段と、前記データ格納手段から読み出して、前記広告情報を表示する表示処理手段とを備えることを特徴とする広告情報配信システムである。
【発明の効果】
【０００７】
本発明により、携帯端末のＧＰＳ機能及び温度センサーを用いて利用者の現在位置及び外気温を取得し、サーバで処理することにより、利用者による広告情報の検索を介することなく、利用者に最適な商品の位置情報や在庫状況等の広告情報を自動的に配信する広告情報配信システムを提供することが可能となる。
【発明を実施するための最良の形態】
【０００８】
以下に、本発明を実施するための最良の形態を図面に基づいて説明する。
図１は、本発明の広告情報配信システムの実施形態の例を示す概略構成図である。図１に示すように、広告情報配信システム１００は、広告内容を取得して表示する端末装置としての広告表示装置１１０と、この広告表示装置１００から、無線通信手段によるネットワーク１１４を介してアクセス可能なサーバ１２０と、ＧＰＳ衛星１０１とから構成される。
【０００９】
広告表示装置１１０は、広告表示装置１１０の現在位置の外気温１０２を測定する温度センサー１１３と、ＧＰＳ衛星１０１から現在位置を検出する現在位置検出手段としてのＧＰＳ装置１１１と、サーバ１２０との間でデータを送受信する無線通信手段１１４と、サーバ１２０から受信した商品等の広告情報を格納するデータ格納手段（不図示）と、このデータ格納手段より広告情報を取得して表示する広告情報表示装置１１０とから構成される。
【００１０】
サーバ１２０は、広告情報を特定する広告情報特定手段１２１と、地図情報データベース１２３と、ＲＦＩＤタグ読み取りシステム１３０よりネットワークを介して受信したＲＦＩＤタグの情報を基に作成された商品情報データベースとしてのＲＦＩＤタグに関する属性情報データベース１２４と、広告情報を格納する広告情報データベース１２２と、広告表示装置１１０との間で情報を送受信する送受信手段（不図示）とから構成される。ここで、広告情報特定手段１２１は、広告情報データベースに対して、広告情報の更新や検索を実行する。
ＲＦＩＤタグ読み取りシステム１３０は、ＲＦＩＤタグ１３３が取り付けられ、広告の対象となる商品１３２と、このＲＦＩＤタグ１３３を読み取るＲＦＩＤ読み取り装置１３１とから構成される。ＲＦＩＤタグ１３３より読み込まれた商品情報は、ＲＦＩＤタグ読み取りシステム１３０からネットワークを介してサーバ１２０へ送信される。
【００１１】
次に、具体的に広告表示装置の広告内容を表示する処理について説明する。
広告表示装置１１０に備えられた温度センサー１１３により外気温１０２の温度情報を取得し、取得した温度情報と、ＧＰＳ装置１１１によりＧＰＳ衛星１０１から取得した位置情報とを無線通信手段１１４によりネットワークを介してサーバ１２０に送信する。
サーバ１２０は、広告表示装置１１０から受信した位置情報に基づき現在位置を特定し、特定した現在位置に基づいて、ＲＦＩＤタグに関する属性情報データベース１２４から現在位置付近に存在する商品の情報を取得する。この商品の情報と、広告表示装置１１０から受信した外気温データに基づき、広告情報データベース１２２から広告情報を取得し、図示しない送受信手段により広告表示装置１１０に送信する。
次に、ネットワークを介して、広告表示手段１１０内の無線通信手段１１４がサーバ１２０より送信された広告情報を受信し、データ格納手段（不図示）に一時的に保持され、広告情報表示手段１１２がこの広告情報を取得して、表示する。
【００１２】
図２は、本発明の広告情報配信システムにおける処理の概要を示すフローチャートである。
広告表示装置１１０は、Ｗｅｂアクセス、地図検索等の利用者の操作（ステップ２０１）に応じて、ＧＰＳ装置１１１から緯度、経度による位置情報と現在時刻を取得し、情報を保持する（ステップ２０２）。また、温度センサーにより現在の外気温を測定し、情報を保持する（ステップ２０３）。これらの位置情報、現在時刻、外気温の情報を、無線通信手段１１４により、サーバ１２０に送信する（ステップ２０４）。
次に、サーバ１２０は、上記の各情報を受信し（ステップ２１１）、現在位置を特定する（ステップ２１２）。ＲＦＩＤタグに関する属性情報データベースから現在位置付近にある商品を取得する（ステップ２１３）。外気温情報から、利用者に必要とされる商品の広告情報を広告情報データベース１２２より取得する（ステップ２１４）。得られた広告情報を広告表示装置１１０に送信する（ステップ２１５）。
このようにして、サーバ１２０は、広告表示装置１１０より受信した位置情報、現在時刻、外気温に基づいて、広告表示装置１１０に広告情報を送信する。
次に、広告表示装置１１０は、サーバ１２０からの情報を、無線通信手段１１４により受信する（ステップ２０５）。受信した情報を広告情報表示手段１１２により表示する（ステップ２０６）。
以上により、本発明の広告情報配信システムは、携帯端末等の利用者に対して、利用者による商品検索を介することなく、自動的に現在位置情報や外気温に対応した商品の広告情報を提供する。
【００１３】
図３は、本発明のサーバにおける各データベースのデータ構造の一例を示す図である。
地図情報データベース３０１は、緯度、経度に基づいて現在位置の地図情報を示すための情報を保有する。ＧＰＳ衛星より取得した緯度、経度をサーバへ送信して、広告情報特定手段１２１により地図情報データベース３０１をアクセスし、この緯度、経度に基づく地図情報が取得される。なお、地図情報データベース３０１は、図１における地図情報データベース１２３に相当する。
ＲＦＩＤタグに関する属性情報データベース３０２は、商品名とその数量、さらに、商品の現在位置がわかるための、緯度、経度、現在位置名を保有している。なお、図３に示すＲＦＩＤタグに関する属性情報データベース３０２は、図１におけるＲＦＩＤタグに関する属性情報データベース１２４に相当する。これにより、現在位置付近の存在する商品及びその在庫状況が正確に提供される。
【００１４】
広告情報データベース３０３は広告名、その広告情報、商品名、付加情報を保有する。
サーバ１２０の広告情報特定手段１２１は、広告表示装置１１０、及びＲＦＩＤタグ読み取りシステム１３０から受信した情報に基づき、地図情報データベース３０１、ＲＦＩＤタグに関する属性情報データベース１２４から広告情報表示装置１１０付近にある商品情報を取得し、広告情報データベース３０３から広告情報を取得する。なお、図３に示す広告情報データベース３０３は、図１における広告情報データベース１２２に相当する。
上記各種データベースを用いることにより、利用者に必要とされる商品の在庫状況や広告情報を提供することが出来る。
【００１５】
以上により、端末装置としての広告表示装置が有するＧＰＳ装置や温度センサーを用いて取得した現在位置情報や外気温情報に基づいて、利用者は広告情報の検索をすることなく、利用者の現在位置や付近の外気温に対応する商品の広告情報の提供を受けることが可能になる。
【図面の簡単な説明】
【００１６】
【図１】本発明の広告情報配信システムの実施例を示す概略構成図である。
【図２】本発明の広告情報配信システムにおける処理の概要を示すフローチャートである。
【図３】本発明のサーバにおける各データベースのデータ構造の一例を示す図である。
【符号の説明】
【００１７】
１００  広告情報配信システム
１０１  ＧＰＳ衛星
１０２  外気温
１１０  広告表示装置
１１１  ＧＰＳ装置
１１２  広告情報表示手段
１１３  温度センサー
１１４  無線通信手段
１２０  サーバ
１２１  広告情報特定手段
１２２  広告情報データベース
１２３  地図情報データベース
１２４  ＲＦＩＤタグに関する属性情報データベース
１３０  ＲＦＩＤタグ読み取りシステム
１３１  ＲＦＩＤタグ読み取り装置
１３２  商品
１３３  ＲＦＩＤタグ
【図１】
2007133106.tif 000003
【図２】
2007133106.tif 000004
【図３】
2007133106.tif 000005